(57)【要約】【課題】体内入込式の医療具の取付方法やデータ等を、さらに、多く知ることができるようにすると共に、容易に携帯できるようにした装飾品を提供すること。【解決手段】装飾品１は、ストラップ１１、キーホルダ１２、あるいは、装身具１３のいずれかに使用される。その装飾品１は、体内入込式の医療具のデータを記憶した記録媒体２と、記録媒体２が収納されて紐１１ｂあるいは連結具１２ａが連結される連結部３ａ，を有するケース体３と、を備えている。【選択図】図１
2010082433.tif 000002
【特許請求の範囲】
【請求項１】
ストラップ（１１）、キーホルダ（１２）、あるいは、装身具（１３）のいずれかに使用される装飾品（１，１Ａ，１Ｂ，１Ｃ，１Ｄ）において、
体内入込式の医療具のデータを記録した記録媒体（２）と、
前記記録媒体（２）が設けられて紐（１１ｂ）あるいは連結具（１２ａ，１３ａ）が取り付けられる連結部（３ａ，３１ａ〜３７ａ）を有するケース体（３，３１〜３７）と、
を備えたことを特徴とする装飾品。
【請求項２】
前記記録媒体（２）は、メモリカード（２１）、または、ＩＣチップ（２３）からなると共に、前記体内入込式の医療具の埋設位置、種類、型番、人工歯の型番、アバットメントの型番、アバットメントの使用金属名、使用セラミックメーカー名、レントゲンの画像、治療した病院名、治療日、患者名、連絡先のうちのいずれかのデータが記録されていることを特徴とする請求項１に記載の装飾品。
【請求項３】
前記体内入込式の医療具は、義歯固定用インプラントまたは生体用インプラントからなることを特徴とする請求項１または請求項２に記載の装飾品。
【請求項４】
前記体内入込式の医療具は、前記義歯固定用インプラントからなり、
前記ケース体（３，３１〜３６）は、義歯固定用インプラントのデータを具現化したサンプル（４）が取り付けられていることを特徴とする請求項１または請求項２に記載の装飾品。
【請求項５】
前記体内入込式の医療具は、前記義歯固定用インプラントからなり、
前記ケース体（３１，３２）は、義歯固定用インプラントのデータを具現化したサンプル（４）及び前記記録媒体（２）を収納するための収納部（３１ｂ，３２ｂ）を有すると共に、外面部が人形等の形態をなした装飾体（６Ａ，６Ｂ）を構成していることを特徴とする請求項１または請求項２に記載の装飾品。
【請求項６】
前記体内入込式の医療具は、義歯固定用インプラントからなり、
前記ケース体（３３〜３６）の連結部（３３ａ〜３６ａ）には、前記義歯固定用インプラントのデータを具現化したサンプル（４）を収納した収納体（９）が連結具（８）を介在して取り付けられ、
前記収納体（９）は、透明体あるいは半透明体によって形成されて、前記サンプル（４）が収納される収納部（９１ｂ）を有する収納本体（９１）と、
当該収納本体（９１）に着脱自在に取り付けられて前記収納部（９１ｂ）を閉塞する蓋体（９２）と、
からなることを特徴とする請求項１または請求項２に記載の装飾品。
【請求項７】
前記記録媒体（２）は、前記データを記録したラベル（２４）または記録紙（２５）からなり、
前記ラベル（２４）または記録紙（２５）は、前記ケース体（３，３１〜３７）または前記収納体（９）に設けられていることを特徴する請求項６に記載の装飾品。
【発明の詳細な説明】
【技術分野】
【０００１】
本発明は、例えば、義歯固定用インプラント等の種々のインプラントやペースメーカー等の体内入込式の医療具のデータを記録した記録媒体を備えた装飾品に関する。
【背景技術】
【０００２】
従来、体内入込式の医療具としては、義歯固定用インプラント、生体用または医療用のインプラント、ペースメーカー、可変バルブ等がある。これらの体内入込式の医療具は、長期間使用した場合や、利用者の成長等によって、新品のものと交換する場合がある。
【０００３】
例えば、義歯固定用インプラントは、製造している会社が数十社あり、さらに、利用する歯、材質、直径、長さ等によって相違しているので、何千種類のインプラントが存在している。また、インプラント治療に使用するアバットメントや金属等の種類を含めると、その種類がさらに倍増する。
【０００４】
また、歯科医院においては、近年、閉鎖される医院が目立っている。このため、義歯固定用インプラントの利用者が、再度同じ歯科医院でインプレントを新品のものに交換したり、新たに義歯固定用インプラントの治療をしたりしようとしても、その歯科医院が存在しないこともある。その結果、利用者が、義歯固定用インプラントを修理しようとした場合、使用している義歯固定用インプラントのデータや、インプラントの取付方法や、カルテ等が残っていないときには、大幅な治療工数や、インプラントの製造工数がかかったり、新たにインプラントを作り直したりする必要があった。
【０００５】
このような義歯固定用インプラントを使用している利用者のインプラントの情報が判るようにしたものとしては、例えば、特許文献１に開示された装身具が知られている。
特許文献１に記載された装身具は、リング状のベース体に、アクセサリ体としての義歯固定用インプラントを取り付けている。
【先行技術文献】
【特許文献】
【０００６】
【特許文献１】実用新案登録第３１４０２０４号公報（請求項４、段落００３０〜００３５、及び図６参照）
【発明の概要】
【発明が解決しようとする課題】
【０００７】
しかしながら、特許文献１に記載された装身具では、どのようなインプラントか判るようにするために、ベース体に義歯固定用インプラントを取り付けているものの、義歯固定用インプラントの情報が、単に、インプラントのみであるので、さらに、多くの情報を有するものが要望されていた。
また、その装身具は、指輪やブローチ等のリング状のベース体に、単に、ねじ状のインプラントを取り付けたものであるので、デザイン性に乏しいものであった。
【０００８】
そこで、本発明は、体内入込式の医療具の取付方法や医療具のデータや診療記録等を、さらに、正確な情報を多く知ることができるようにすると共に、容易に携帯できるようにして、いつでも確認できるようにした装飾品を提供することを目的とする。
【課題を解決するための手段】
【０００９】
前記課題を解決するための手段として、請求項１に記載の装飾品は、ストラップ、キーホルダ、あるいは、装身具のいずれかに使用される装飾品において、体内入込式の医療具のデータを記録した記録媒体と、前記記録媒体が設けられて紐あるいは連結具が取り付けられる連結部を有するケース体と、を備えたことを特徴とする。
ここで装飾品とは、装飾の目的で体や衣類等に付ける装身具、携帯電話及びバッグ類等の手回品に付ける飾り、あるいは身の回り付けるその他の品物であり、形状等は特に限定されない。
また、記録媒体とは、体内入込式の医療具に関する情報を伝えるためにその情報を記憶、表記あるいは保存することができるものである。この記録媒体は、例えば、磁気的あるいは光学的に記憶する電子媒体や、文字を記入したり印刷したりすることができる紙、写真、金属、樹脂、木材、布、革等である。
【００１０】
かかる構成によれば、装飾品は、ストラップ、キーホルダ、あるいは、装身具等に、体内入込式の医療具のデータを記録した記録媒体を患者に携帯させておくことが可能となる。このため、体内入込式の医療具に関するデータを治療や修理等で見たいときには、記録媒体内のデータをパソコン等によって見ることにより、使用している体内入込式の医療具に関する多くのデータを直ぐに確認することが可能であるので、緊急時等に素早い対応ができるようになる。
また、記録媒体を収納するケース体は、紐あるいは連結具が連結される連結部を有することによって、ストラップやキーホルダ、あるいは、ネックレス、ペンダント、ブローチ等の装身具に連結して携帯することができる。このため、体内入込式の医療具のデータが、いざ必要となったときに、直ぐにその必要なデータを確認することが可能となる。
【００１１】
請求項２に記載の装飾品の発明は、請求項１に記載の装飾品であって、前記記録媒体は、メモリカード、または、ＩＣチップからなると共に、前記体内入込式の医療具の埋設位置、種類、型番、人工歯の型番、アバットメントの型番、アバットメントの使用金属名、使用セラミックメーカー名、レントゲンの画像、治療した病院名、治療日、患者名、連絡先のうちのいずれかのデータが記録されていることを特徴とする。
ここで、メモリカードとは、小型の記録媒体（記憶媒体）であればよく、例えば、磁気カードや、マイクロＳＤカード等のＳＤカード(Secured Digital、SD)や、ＣＦカード(Compact Flash（登録商標）、CF)、ＳＭカード(Smart Media（登録商標）、SM)、ＭＳカード(Memory Stick（登録商標）)、マルチメディアカード(Multimedia Card（登録商標）、MMC)、あるいはＸＤピクチャカード（XD Picture Card（登録商標））等の小型メモリカードである。
【００１２】
かかる構成によれば、記録媒体には、体内入込式の医療具の埋設位置、種類、型番、人工歯の型番、アバットメントの型番、アバットメントの使用金属名、使用セラミックメーカー名、レントゲンの画像、治療した病院名、治療日、患者名、連絡先のうちのいずれかのデータが記録されていることにより、利用者が使用している体内入込式の医療具が直ぐに判明できるので、スピーディな対応が可能となる。さらに、体内入込式の医療具を修理する場合には、短時間で修理及び製造できるようになるので、低コストで修理が可能となる。
【００１３】
請求項３に記載の装飾品の発明は、請求項１または請求項２に記載の装飾品であって、前記体内入込式の医療具は、義歯固定用インプラントまたは生体用インプラントからなることを特徴とする。
【００１４】
かかる構成によれば、義歯固定用インプラントまたは生体用インプラントは、多数の種類のものが存在するので、記録媒体にデータを保存して利用者が携帯することにより、そのデータによって治療を行った以外の医者でも容易に治療を行うことが可能となる。
【００１５】
請求項４に記載の装飾品の発明は、請求項１または請求項２に記載の装飾品は、前記体内入込式の医療具は、義歯固定用インプラントからなり、前記ケース体は、義歯固定用インプラントのサンプルが取り付けられていることを特徴とする。
【００１６】
かかる構成によれば、装飾品のケース体は、義歯固定用インプラントのサンプルが取り付けられていることによって、他の者が、義歯固定用インプラントのサンプルを外部から容易に視認できる。このため、緊急時に義歯固定用インプラントのデータ等を探す必要がなく便利で、かつ、そのデータ等が必要になったときに素早い対応ができるようになる。
【００１７】
請求項５に記載の装飾品の発明は、請求項１または請求項２に記載の装飾品であって、前記体内入込式の医療具は、義歯固定用インプラントからなり、前記ケース体は、義歯固定用インプラントのサンプル及び前記記録媒体を収納するための収納部を有すると共に、外面部が人形等の形態をなした装飾体を構成していることを特徴とする。
【００１８】
かかる構成によれば、装飾品のケース体は、収納部に義歯固定用インプラントのサンプル及び記録媒体を収納しておくことにより、インプラントを修理する等の治療をする場合に、インプラントのあらゆる情報を瞬時に入手できるので、素早い対応が可能となる。また、治療を行う専門の医師等は、サンプルを見ただけで、インプラント等に製造メーカー名及び型番等が判るので、インプラント等のデータを探す手間を省くことができる。
また、装飾品のケース体は、外面部が人形等の形態をなした装飾体からなることによって、デザイン性及び見映えを向上させて、アクセサリとしての機能をさらに向上させることができる。
【００１９】
請求項６に記載の装飾品の発明は、請求項１または請求項２に記載の装飾品であって、前記体内入込式の医療具は、義歯固定用インプラントからなり、前記ケース体の連結部には、義歯固定用インプラントのサンプルを収納した収納体が連結具を介在して取り付けられ、前記収納体は、透明体あるいは半透明体によって形成されて、前記サンプルが収納される収納部を有する収納本体と、当該収納本体に着脱自在に取り付けられて前記収納部を閉塞する蓋体と、からなることを特徴とする。
【００２０】
かかる構成によれば、装飾品の収納体は、透明体あるいは半透明体によって形成されてスケルトン状になっているので、外部からケース体に収納されている義歯固定用インプラントのサンプルを視認することができる。このため、装飾品の収納体は、自分以外の者に義歯固定用インプラントのサンプルのある場所が判り、インプラント等のデータが必要になった緊急時の対応に適した構造をしている。
また、収納体は、サンプルが収納される収納部を有する収納本体と、この収納本体に着脱自在に取り付けられて収納部を閉塞する蓋体と、からなることによって、サンプルを容易に収納体内に収納することができる。
【００２１】
請求項７に記載の装飾品の発明は、請求項６に記載の装飾品であって、前記記録媒体は、前記データを記録したラベルまたは記録紙からなり、前記ラベルまたは記録紙は、前記ケース体または前記収納体に設けられていることを特徴する。
【００２２】
かかる構成によれば、記録媒体は、データを記録したラベルまたは記録紙からなることにより、体内入込式の医療具に関するデータを印刷等して付記し、ケース体または前記収納体の裏面等に貼り付けたり、その中に収納したりして、容易に携帯することができる。
【発明の効果】
【００２３】
本発明によれば、体内入込式の医療具の取付方法、医療具のデータ、製造メーカー名、治療記録等の治療情報を、さらに、多く正確に知ることができるようにすると共に、容易に携帯できるようにして、いつでも確認可能にした装飾品を提供することができる。
【図面の簡単な説明】
【００２４】
【図１】本発明の実施形態に係る装飾品を示す正面図である。
【図２】本発明の実施形態に係る装飾品を示す側面図である。
【図３】本発明の実施形態に係る装飾品を示す分解斜視図である。
【図４】本発明の実施形態に係る装飾品を示すであり、記録媒体に記憶されているデータの一例を示す表である。
【図５】本発明の実施形態に係る装飾品に備えられた記録媒体の記録を読み取るときの状態を示す斜視図である。
【図６】本発明の実施形態に係る装飾品の第１変形例を示す説明図である。
【図７】本発明の実施形態に係る装飾品の第１変形例を示す説明図であり、（ａ）はケース体の変形例を示す分解斜視図、（ｂ）はケース体の他の変形例を示す分解斜視図である。
【図８】本発明の実施形態に係る装飾品の第２変形例を示す説明図であり、（ａ）は斜視図、（ｂ）〜（ｄ）はケース体の変形例を示す要部拡大斜視図である。
【図９】本発明の実施形態に係る装飾品の第２変形例の収納体の拡大分解斜視図である。
【図１０】本発明の実施形態に係る装飾品の第３変形例を示す説明図である。
【図１１】本発明の実施形態に係る装飾品の第４変形例を示す説明図であり、ペンダントにサンプルと記録媒体を取り付けた状態を示す分解斜視図である。
【図１２】本発明の実施形態に係る装飾品の第５変形例を示す分解斜視図である。
【発明を実施するための形態】
【００２５】
図１〜図４を参照して、本発明の実施形態に係る装飾品を説明する。
図１は、本発明の実施形態に係る装飾品を示す正面図である。図２は、本発明の実施形態に係る装飾品を示す側面図である。図３は、本発明の実施形態に係る装飾品を示す分解斜視図である。図４は、本発明の実施形態に係る装飾品を示すであり、記録媒体に記録されているデータの一例を示す表である。
【００２６】
≪装飾品の構成≫
装飾品１は、それぞれ後記するストラップ１１、キーホルダ１２（図６参照）、あるいは、装身具１３（図８参照）等であって、手回り品や自分自身に身に付けるものである。
装飾品１は、それぞれ後記する記録媒体２と、ケース体３と、体内入込式の医療具のサンプル４と、装飾台５と、装飾体６と、を備えている。
装飾品１は、キーホルダ１２や装身具１３等としても利用可能であるが、以下、その一例として、ストラップ１１として使用する場合を例に挙げて説明する。
【００２７】
≪ストラップの構成≫
ストラップ１１は、携帯電話機、カメラ、ビデオカメラ、ポータブルオーディオプレーヤー、楽器類等に紛失防止等のために取り付けられるものである。ストラップ１１は、比較的短く手首に通すハンド用のもの、または、首に掛けるネック用のものからなり、以下、ハンド用のものを例に挙げて説明する。ストラップ１１は、手首を通すためのストラップ本体１１ａと、ストラップ本体１１ａに連結された紐１１ｂと、この紐１１ｂの基端部をストラップ本体１１ａに固定するための固定部１１ｃと、から構成されている。
【００２８】
ストラップ本体１１ａは、帯状の細長い部材をＵ字状に曲げて形成したものであり、合成樹脂、革、あるいは、繊維を帯状に編んだものからなる。
紐１１ｂは、化学繊維または天然繊維を編んで形成したものである。
固定部１１ｃは、ストラップ本体１１ａと紐１１ｂとを連結して固定する部位であり、連結手段等は特に限定されない。
【００２９】
≪記録媒体の構成≫
記録媒体２は、体内入込式の医療具のデータを磁気的あるいは光学的に記憶する小型のメモリカード２１であり、磁気カード、マイクロＳＤカード、ミニＳＤカード、ＳＤカード、スマートメディア（登録商標）、コンパクトフラッシュ（登録商標）、マルチメディアカード（登録商標）、メモリースティック、ＩＣチップ等の記憶媒体からなる。
なお、記録媒体２は、図４に示すように、体内入込式の医療具において、体内入込式の医療具の治療をした歯科医院名、患者名、住所、電話番号、血液型、緊急連絡先、インプラント埋入部位、治療終了年月日、インプラント製造メーカー名、インプラントの種類、インプラント型番、アバットメントの型番、アバットメント使用金属、上部構造使用金属、使用セラミックメーカー名、人口歯の型番、レントゲン画像データ等が判ればよく、多次元バーコードや刻印等であっても構わない。
記録媒体２は、小型のものであればよく、以下、記録媒体２として、マイクロＳＤカードからなるメモリカード２１を使用する場合を例に挙げて、本実施形態を説明する。
【００３０】
≪ケース体の構成≫
図３に示すように、ケース体３は、前記記録媒体２が収納されるものであり、外形及び材質等は特に限定されない。ケース体３は、それぞれ後記するフロントケース３ｃと、リヤケース３ｄと、連結部３ａ，３ａと、収納部３ｂ，３ｂと、蝶番３ｅ（図２参照）と、係止部３ｆと、係合部３ｇとを備え、合成樹脂、貴金属、あるいは金属等によって形成されている。以下、ケース体３を合成樹脂で形成した場合を例に挙げて説明する。
【００３１】
＜フロントケース及びリヤケースの構成＞
フロントケース３ｃは、表面に義歯固定用インプラントのサンプル４、装飾台５及び装飾体６が取り付けられ、裏面側に収納凹部を有するケース半体である。フロントケース３ｃは、例えば、正面、上下左右から視して矩形に形成されている。
リヤケース３ｄは、前記フロントケース３ｃの収納凹部に合致して閉塞するように形成されたケース半体であり、フロントケース３ｃに対して略対称な断面コ字状の形状をしている。
【００３２】
＜連結部の構成＞
連結部３ａ，３ａは、ストラップ１１の紐１１ｂが取り付けられる部位であり、紐１１ｂが挿入される貫通孔を有してなる。連結部３ａ，３ａは、例えば、フロントケース３ｃ及びリヤケース３ｄの上端縁部に互いに重なり合うように同位置に突出した状態に一体形成された環状のものからなる。
【００３３】
＜収納部の構成＞
収納部３ｂ，３ｂは、記録媒体２を収納する収納空間であり、フロントケース３ｃ及びリヤケース３ｄの互いに対向する面に窪んだ状態に形成されている。
なお、収納部３ｂ，３ｂは、記録媒体２を収納可能であればよく、フロントケース３ｃとリヤケース３ｄとに跨って形成された空間でも、フロントケース３ｃとリヤケース３ｄとの一方に形成した空間でも、あるいは、フロントケース３ｃとリヤケース３ｄとの一方にＩＣチップ等からなる記録媒体２を埋設したものであってもよい。
【００３４】
＜蝶番の構成＞
蝶番３ｅは、フロントケース３ｃとリヤケース３ｄとを互いに開閉自在に回動可能に連結するための部材である。蝶番３ｅは、フロントケース３ｃ及びリヤケース３ｄの下端部に配置されて、フロントケース３ｃとリヤケース３ｄとが下側方向に向かって開口されるようになっている。蝶番３ｅは、合成樹脂製のケース体３の下端部のフロントケース３ｃとリヤケース３ｄとの間に薄肉状に一体形成されて連設されたものからなる。
【００３５】
＜係止部及び係合部の構成＞
係止部３ｆは、係合部３ｇに対して係合及び離脱可能に設けられたものであり、例えば、フロントケース３ｃの上端縁部に突設された係止爪付の弾性係止片からなる。
係合部３ｇは、フロントケース３ｃとリヤケース３ｄとを合致させて収納部３ｂ，３ｂを閉塞した状態を、係止部３ｆがこの係合部３ｇに係合することによって維持するためのものであり、係止部３ｆの係止爪が係止して引っ掛かる部位を備えている。
なお、係止部３ｆおよび係合部３ｇの形状は、互いに係合及び離脱可能であって、フロントケース３ｃとリヤケース３ｄとを合致させた状態を維持できるものであれば、特に限定されない。
【００３６】
≪体内入込式の医療具の構成≫
前記体内入込式の医療具は、人の体内に取り付けたままの状態で使用される医療具であり、例えば、義歯、成形外科用材料、接骨材料、人工関節用材料、脳外科用等に使用されるビス（ねじ）形状のもの、ペースメーカー、あるいは水頭症の患者に使用される可変バルブ等である。
【００３７】
≪サンプルの構成≫
サンプル４は、患者が使用している体内入込式の医療具が判るように似せて製造したものであり、例えば、歯固定用インプラントあるいは生体用インプラントの模造品である。
以下、歯科用のインプラントを例に挙げて本実施形態を説明する。
サンプル４は、歯が欠損した後、歯の機能を代用させる目的で顎骨に埋め込む人工的な人工歯根として使用されているインプラントに合わせて、製造会社や型式等が一目で判別できるように製造された義歯固定用インプラントの模造品からなる。そのインプラントは、義歯固設用インプラント、義歯用金属床及び義歯用磁性アタッチメント等の歯科治療用部品である。サンプル４は、金属、貴金属あるいは樹脂からなり、フロントケース３ｃの表面に接着手段あるいは溶着手段によって固定される。
【００３８】
≪装飾台及び装飾体の構成≫
装飾台５は、装飾体６をフロントケース３ｃの表面に固定するための固定部材であり、所謂宝石台からなる。装飾台５は、フロントケース３ｃの表面に接着手段あるいは溶着手段によって固定される底面部と、装飾体６を固定するための保持片と、を備えている。
装飾体６は、宝石、ガラス、真珠、貴金属、金属等であり、例えば、粒状に形成されている。
【００３９】
≪装飾品の作用≫
次に、本実施形態に係る装飾品１の作用について説明する。
図５は、本発明の実施形態に係る装飾品に備えられた記録媒体の記録を読み取るときの状態を示す斜視図である。
患者が義歯固定用インプラントによる歯の治療を行った場合には、図４に示すような義歯固定用インプラント及びその治療に関するデータやレントゲン写真や断層写真（ＣＴ）の画像データ等をパソコンＰＣ（図５参照）等を利用して記録媒体２に記録させる。
【００４０】
さらに詳述すると、図５に示すように、パソコンＰＣに患者の電子カルテ等の治療データや、前記画像データや、取り付けたインプラントに関するデータ等を打ち込み、それらの電子データをパソコンＰＣのＵＳＢポートＰＣａに、ＵＳＢコネクタＣＲａを介して接続したカードリーダライタＣＲ内の記録媒体２（メモリカード２１）に記憶する。
【００４１】
図３に示すように、義歯固定用インプラントのデータ等を記録した記録媒体２をケース体３の収納部３ｂ，３ｂ内に収納する。そのケース体３は、係止部３ｆを係合部３ｇに係合させることによって、フロントケース３ｃとリヤケース３ｄとを合致させて収納部３ｂを閉塞すると共に、フロントケース３ｃの連結部３ａとリヤケース３ｄの連結部３ａとを合致させる。
【００４２】
その連結部３ａ，３ａには、ストラップ１１の紐１１ｂを潜り付ける。そうすると、ストラップ１１の紐１１ｂによって連結部３ａ，３ａがしっかりと固定され、フロントケース３ｃとリヤケース３ｄとを合致させた状態がその紐１１ｂによって、さらに、しっかりと保持される。
【００４３】
そして、フロントケース３ｃの表面には、患者に取り付けられた義歯固定用インプラントのサンプル４と、装飾体６が固定された装飾台５とを固定する。
このように、義歯固定用インプラントのデータ等を記録した記録媒体２とサンプル４とが備えられたケース体３をストラップ１１に取り付けて、このストラップ１１を患者が常時持ち歩いている携帯電話機等に装飾品１として取り付けて携帯する。
【００４４】
このようにすることによって、義歯固定用インプラントを修理する場合に、万が一、治療した歯科医院が閉鎖されているようなことがあったとしても、使用中の義歯固定用インプラントのデータやインプラントの設置方法等が即座に判る。つまり、医者は、サンプル４を見ることによって、使用中のインプラントの製造会社や型式や種別が一目で判る。さらに、記録媒体２のデータを見ることによって、治療した際のレントゲン写真やインプラントに関する治療情報が詳細に正確に判るので、治療時間や、新しいインプラントを取り付ける工数を大幅に短縮することが可能となると共に、適正が治療をスピーディに行うことが可能となる。
【００４５】
記録媒体２に記憶されているデータを確認する場合は、例えば、図５に示すように、患者が所持していたその記録媒体２をカードリーダライタＣＲのカード挿入口ＣＲｂに挿入し、そのカードリーダライタＣＲのＵＳＢコネクタＣＲａをパソコンＰＣのＵＳＢポートＰＣａに接続して、ディスプレイＰＣｂに記録媒体２の記録データを映し出して見る。
【００４６】
なお、装飾品１は、宝石、ガラス、真珠、貴金属等の装飾体６が備えられていることによって、装身具としても利用できる。また、その装飾品１のケース体３等に医療従事者のロゴやマーク等を付けて宣伝すれば、広告等塔の役割も果たす。
【００４７】
［第１変形例］
なお、本発明は、前記実施形態に限定されるものではなく、その技術的思想の範囲内で種々の改造および変更が可能であり、本発明はこれら改造および変更された発明にも及ぶことは勿論である。
図６及び図７を参照しながら本発明の第１変形例を説明する。なお、前記実施形態で説明したものと同一のものは、同一符号を付記してその説明を省略する。
図６は、本発明の実施形態に係る装飾品の第１変形例を示す説明図である。図７は、本発明の実施形態に係る装飾品の第１変形例を示す説明図であり、（ａ）はケース体の変形例を示す分解斜視図、（ｂ）はケース体の他の変形例を示す分解斜視図である。
【００４８】
ストラップ１１にケース体３を連結した前記装飾品１（図１〜３参照）は、図６に示すように、装飾体６Ａ，６Ｂからなるケース体３１，３２をストラップ１１またはキーホルダ１２に連結した装飾品１Ａであってもよい。
【００４９】
この場合、図６に示すように、ストラップ１１は、前記実施形態で説明したものと同一である。キーホルダ１２は、ケース体３１，３２の連結部３１ａ，３２ａに連結される連結具１２ａと、キー（図示省略）に穿設された孔やバッグ類等に連結されるキー吊下用リング１２ｂと、連結具１２ａとキー吊下用リング１２ｂとを連結するチェーン１２ｃとから構成されている。
【００５０】
また、図６及び図７（ａ）、（ｂ）に示すように、ケース体３１，３２は、ストラップ１１及びキーホルダ１２に連結するための連結部３１ａ，３２ａと、義歯固定用インプラントのサンプル４及び前記記録媒体２を収納するための収納部３１ｂ，３２ｂと、を有すると共に、外面部が人形等の形態をなした装飾体６Ａ，６Ｂを構成している。
【００５１】
装飾体６Ａ，６Ｂ（ケース体３１，３２）は、マスコットや適宜な人形等に形成された透明あるいは半透明からなるアクリル等の合成樹脂あるいはガラス等によって形成されたいわゆるスケルトンからなり、装飾体６Ａ，６Ｂ内に配置したサンプル４及び記録媒体２が外部から視認可能になっている。
【００５２】
図７（ａ）、（ｂ）に示すように、ケース体３１，３２は、装飾体６Ａ，６Ｂの上側半体を形成する上ケース体３１Ａ，３２Ａと、装飾体６Ａ，６Ｂの下側半体を形成する下ケース体３１Ｂ，３２Ｂと、に分離及び合体可能に形成されている。
【００５３】
図７（ａ）に示すように、上ケース体３１Ａには、上端部に固定された連結部３１ａと、記録媒体２が収納される直方体の空間からなる第１収納部３１ｃと、この第１収納部３１ｃの下方に連設された雌ねじ部３１ｅと、が形成されている。
下ケース体３１Ｂには、サンプル４が収納される円柱状の空間からなる第２収納部３１ｄと、この第２収納部３１ｄの上方に連設されて前記雌ねじ部３１ｅに螺合する雄ねじ部３１ｆと、が形成されている。
【００５４】
図７（ｂ）に示すように、上ケース体３２Ａには、上端部に固定された連結部３２ａと、記録媒体２が収納される直方体の空間からなる第１収納部３２ｃと、この第１収納部３２ｃの内壁に形成された凹部３２ｅと、が形成されている。
下ケース体３２Ｂには、サンプル４が収納される円柱状の空間からなる第２収納部３２ｄと、この第２収納部３２ｄの上方に連設されて前記第１収納部３２ｃの下部に嵌合するように小径に形成された嵌合部３２ｆと、前記凹部３２ｅに係合する凸部３２ｇと、が形成されている。
【００５５】
このように装飾品１Ａは、ストラップ１１またはキーホルダ１２に、記録媒体２及びサンプル４を収納したスケルトンの人形等の形態をなした装飾体６Ａ，６Ｂを連結して携帯可能にしたものであってもよい。この場合は、装飾体６Ａ，６Ｂが透明または半透明に形成されていることによって、外部からその内部に収納された記録媒体２及びサンプル４が視認できる。このため、患者が装飾品１Ａを持参していることによって、使用しているインプラント等のデータが必要になった場合等の緊急時に瞬時に対応することができる。
なお、装飾体６Ａ，６Ｂは、適宜に形状やデザインを変更したり、貴金属や金属や不透明樹脂等の不透明体で形成するなどしたりして、外観性を向上させてもよい。
【００５６】
［第２変形例］
図８は、本発明の実施形態に係る装飾品の第２変形例を示す説明図であり、（ａ）は斜視図、（ｂ）〜（ｄ）はケース体の変形例を示す要部拡大斜視図である。図９は、本発明の実施形態に係る装飾品の第２変形例の収納体の拡大分解斜視図である。
【００５７】
前記実施形態及び第１変形例の装飾品１，１Ａ（図１及び図６参照）は、図８（ａ）〜（ｄ）に示すように、ペンダントやネックレス等の装飾品１Ｂ（装身具１３）であってもよい。
この場合、図８（ａ）に示すように、前記ストラップ及びキーホルダに代えて貴金属、金属等からなるネックレス用チェーン等からなる首輪７を設ける。その首輪７には、両端部に設けられたチェーン連結部７ａと、中央部に設けられた輪環７ｂと、が設けられている。チェーン連結部７ａは、首輪７を使用者の首に掛ける際に連結及び分離する部位である。輪環７ｂは、首輪７と収納体９のＵ字状連結部９２ａとを連結するための部材であり、１本の金属製線材を円環状（Ｃ字状）に形成されてなる。
【００５８】
図９に示すように、収納体９は、サンプル４を収納する外形が円柱形状の透明または半透明の小型の容器からなり、合成樹脂あるいはガラス等によって形成されている。収納体９は、下面に後記する連結具８が連結されるＵ字状連携部９１ａを有する有底円筒状の収納本体９１と、この収納本体９１の上側に着脱可能に設けられて上面に前記Ｕ字状連結部９２ａが設けられた有底円筒状の蓋体９２と、から主に構成されている。なお、収納体９の外形は、人形等の形に適宜に変更してもよい。
【００５９】
収納本体９１は、前記Ｕ字状連携部９１ａと、サンプル４の下側が収納される第１収納部９１ｂと、第１収納部９１ｂの開口部内に形成された雌ねじ部９１ｃとを有している。
蓋体９２は、収納本体９１の上側に着脱可能に設置されて、第１収納部９１ｂを閉塞するための部材である。蓋体９２は、前記Ｕ字状連結部９２ａと、サンプル４の上部が収納される第２収納部９２ｂと、前記雌ねじ部９１ｃが螺合する雄ねじ部９２ｃと、を有している。蓋体９２は、収納本体９１に対して略対称形状に形成されている。
【００６０】
連結具８は、収納本体９１と、ケース体３３とを連結するためのものであり、複数または単数の小型のリング状部材からなる。
ケース体３３（図８参照）は、前記実施形態のケース体３を略円板状に形成したものである。このように前記ケース体３は、四角形のものに限定されず、適宜に変更してもよい。例えば、ケース体３は、図８（ａ）〜（ｃ）に示すように、円形のケース体３３や、ハート形のケース体３４や、星形のケース体３５等の種々の形状に形成してもよい。また、図８（ｄ）に示すケース体３６のように、適宜なマークや絵や図柄３６ａ等を付記してもよい。それらのケース体３３〜３６の連結部３３ａ〜３６ａには、義歯固定用インプラントのサンプル４を収納した収納体９が連結具８を介在して取り付けられている。
【００６１】
このようにすることにより、装飾品１Ｂは、サンプル４及び記録媒体２を有するペンダントやネックレスとして身に付けておくことができ、前記実施形態と同様に、使用中のインプラント等のデータが必要になった場合等の緊急時に素早く対応することができる。
【００６２】
［第３変形例］
図１０は、本発明の実施形態に係る装飾品の第３変形例を示す説明図である。
前記第２変形例の装飾品１Ｂ（図８（ａ）参照）の収納体９は、首輪７に吊り下げられるものに限定されるものではなく、例えば、図１０に示すように、収納体９自体をペンダントやネックレスの首輪７Ａの一部を構成する部品としてもよい。
この場合、サンプル４が複数あるときには、図１０に示すように、適宜な数及び形状の収納体９を首輪７Ａの装飾体６Ｃとして使用する。このようにしてサンプル４を身に付けていれば、前記同様に、使用しているインプラント等のデータが必要になった場合等の緊急時に直ぐに対処できる。
【００６３】
［第４変形例］
図１１は、本発明の実施形態に係る装飾品の第４変形例を示す説明図であり、ペンダントにサンプルと記録媒体を取り付けた状態を示す分解斜視図である。
前記実施形態及び第１〜３変形例では、記録媒体２としてメモリカード２１を例に挙げて説明したが、記録媒体２は、小型のものであればよく、図１１に示すように、ＩＣタグ２２であっても構わない。
【００６４】
この場合、ＩＣタグ２２は、非接触型または無線型等の小型のＩＣチップ２３と、ＩＣチップ２３に接続されたアンテナ部２４とから主に構成された金属対応型の無線ＩＣタグからなる。そのＩＣタグ２２は、例えば、インレットタイプのものからなり、装飾品１Ｄとしてのブローチ１４の下面に固着される。ブローチ１４は、例えば、リング状の金属製のケース体３７からなり、上面にサンプル４及び装飾体６が設けられている。ケース体３７（基台）の下面には、針３７ａ（連結具）がろう付けまたは溶接等によって突出した状態に固定されている。その針３７ａは、洋服Ｗの襟等に差し込んで、針止め金具３７ｂによってその襟に固定される。
【００６５】
［第５変形例］
図１２は、本発明の実施形態に係る装飾品の第５変形例を示す分解斜視図である。
前記実施形態の記録媒体２は、図１２に示すように、体内入込式の医療具に関するデータを印刷するなどして記録したラベル２４や記録紙２５であっても構わない。
この場合、ラベル２４は、例えば、紙製、樹脂製あるいは金属製のシート状のものからなり、表面に前記データや、図４に示すデータの一部等を記載し、裏面にこのラベル２４をケース体３の外面に貼り付けるための粘着部２４ａを有している。記録紙２５は、前記データまたはラベル２４に記載されたデータ以外の事項が記載された書面である。記録紙２５は、ケース体３及び記録紙２５の大きさに応じて適宜に折り畳んでケース体３内に収納させる。
ここで、「ラベル」とは、前記データまたは前記データの一部を印刷等で付記したいわゆるラベル、シール、ステッカーあるいは単なる紙等である。
【００６６】
このように記録媒体２をラベル２４にすることによって、ケース体３の裏面等の外面の適宜な位置に容易に貼付することができるようになる。ラベル２４をケース体３に設けることによって、体内入込式の医療具に関するデータが必要な緊急時に、第三者等に対して、そのデータを容易に発見させて知らせることができるようになり、緊急時に役立てることが可能となる。
また、記録紙２５をケース体に収納したことによって、前記ラベル２４に記載できなかったデータも常時携帯することができ、さらに、多くのデータを携帯できるようになる。
【００６７】
また、図１２に示すように、ケース体３には、レントゲン等の画像データ等を記録した記録媒体２も一緒に収納させても構わない。
前記ラベル２４は、粘着テープ状のものであればよく、例えば、通帳に使用される磁気ストライプテープ等のシート状の記憶媒体であっても構わない。さらに、前記ラベル２４は、図６〜図８に示す種々の形状のケース体３１〜３６に貼付するなどして設けてもよい。
また、記録紙２５は、図６〜図８に示すケース体３１〜３６に収納したり、図８〜１０に示す収納体９に収納したりして保管するように携帯してもよい。
【００６８】
［その他の変形例］
前記実施形態及び第１〜３変形例では、樹脂製のケース体３を例に挙げて説明したが、ケース体３の材質は特に限定されない。例えば、ケース体３は、貴金属や、金属や、樹脂等の不透明の材料でもよく、さらに、そのケース体３に金属メッキを施して貴金属製や金属製に見えるようにして外観性を向上させてもよい。
ケース体３を金属製のものにした場合には、連結部３ａ，３ａはケース体３にろう付け等によって固定する。また、蝶番３ｅは、板ばね部材や小型の蝶番部材をろう付け等によって固定してもよい。
【符号の説明】
【００６９】
１，１Ａ，１Ｂ，１Ｃ，１Ｄ  装飾品
２      記録媒体
３，３１〜３７  ケース体
３ａ，３１ａ〜３６ａ  連結部
３ｂ，３１ｂ，３２ｂ，９１ａ  収納部
４      サンプル
６，６Ａ，６Ｂ  装飾体
８，１２ａ  連結具
９      収納体
１１    ストラップ
１１ｂ  紐
１２    キーホルダ
１３    装身具
２１    メモリカード
２２    ＩＣタグ
２３    ＩＣチップ
２４    ラベル
２５    記録紙
３７ａ  針（連結具）
９１    収納本体
９１ｂ  第１収納部（収納部）
９２    蓋体
９２ｂ  第２収納部（収納部）
【図１】
2010082433.tif 000003
【図２】
2010082433.tif 000004
【図３】
2010082433.tif 000005
【図４】
2010082433.tif 000006
【図５】
2010082433.tif 000007
【図６】
2010082433.tif 000008
【図７】
2010082433.tif 000009
【図８】
2010082433.tif 000010
【図９】
2010082433.tif 000011
【図１０】
2010082433.tif 000012
【図１１】
2010082433.tif 000013
【図１２】
2010082433.tif 000014